(57)【要約】      （修正有）【課題】より省スペースで照射光を平行化し、且つ照射光による照射面における照度を均一化する光学系装置、両凸レンズを提供する。【解決手段】光源より照射された照射光を平行化し且つ照射光による照射面における照度を均一化する光学系装置1であって、照射光の照射方向に設けられた両凸レンズ２０であって記照射方向における入射側に位置する第１面２１と、照射方向における出射側に位置する第２面２２とを有し、第２面２２が入射された照射光を平行化する曲率半径に形成され、第１面２１が第２面２２により出射される照射光による照射面における照度を均一化する曲率半径に形成される両凸レンズ２０と、光源と前記両凸レンズ２０との間に配置され、前記照射光の一部を通過させるアパーチャ３０とを備える。【選択図】図２
2018189958.tif 000002
【特許請求の範囲】
【請求項１】
光源より照射された照射光を平行化し且つ該照射光による照射面における照度を均一化する光学系装置であって、
前記照射光の照射方向に設けられた両凸レンズであって、前記照射方向における入射側に位置する第１面と、前記照射方向における出射側に位置する第２面とを有し、前記第２面が入射された照射光を平行化する曲率半径に形成され、前記第１面が第２面により出射される照射光による照射面における照度を均一化する曲率半径に形成される両凸レンズと、
前記光源と前記両凸レンズとの間に配置され、前記照射光の一部を通過させるアパーチャと、
を備える光学系装置。
【請求項２】
前記アパーチャは孔部より前記照射光の一部を通過させ、
両凸レンズにおける前記第２面の曲率半径は、前記第１面を平面と仮定した場合の焦点距離と、前記孔部の大きさとに基づくことを特徴とする請求項１に記載の光学系装置。
【請求項３】
前記アパーチャと前記両凸レンズとの間に配置され、前記アパーチャを通過した照射光が入射する入射側開口と、該入射側開口より入射された照射光を出射する出射側開口とを有し、前記入射側開口から出射側開口まで貫通する筒状に形成されて内壁表面において光を吸収する光吸収体を更に備えることを特徴とする請求項１または請求項２に記載の光学系装置。
【請求項４】
入射された照射光を平行化し且つ該照射光による照射面における照度を均一化する両凸レンズであって、
前記照射方向における入射側に位置する第１面と、前記照射方向における出射側に位置する第２面とを有し、前記第２面が入射された照射光を平行化する曲率半径に形成され、前記第１面が第２面により出射される照射光による照射面における照度を均一化する曲率半径に形成されることを特徴とする両凸レンズ。
【発明の詳細な説明】
【技術分野】
【０００１】
本発明は、光源より照射された照射光を平行化及び均一化する技術に関する。
【背景技術】
【０００２】
従来、多数の紫外線ＬＥＤなどの紫外線発光素子を用いた紫外光照射装置は、紫外線硬化型樹脂の硬化などに用いられ、この紫外線硬化型樹脂の硬化には、硬化にムラが生じないようにするため、照射面において均一の照度を持つことが求められている。また、マスクを用いてＬＥＤ光により露光を行う場合には、露光対象とマスクとの間に隙間が生じ、またＬＥＤ光の放射角度が１２０°程度であることから、精度を高めるには照射面に対して照射光が垂直となるように照射光を平行化する必要がある。一般的に、この照射光の平行化には放物面ミラーなどが用いられる。
【０００３】
照射面における照度の均一化には、一般的に、フライアレイレンズなどが用いられ、これに関連する技術として、複数の発光素子を平面上に配列したＬＥＤアレイ光源と、各発光素子から出射された光をそれぞれコリメートする第１照明光学系と、第１照明光学系から出射された光を焦点位置に集光させる第２照明光学系と、平面上に配列した複数のレンズを有し、第２照明光学系から出射された光を各レンズの入射面で入射して照度の均一性を高めるフライアイ・インテグレータとを備え、フライアイ・インテグレータの入射面は、第２照明光学系の焦点位置に配置され、各発光素子の発光面は、フライアイ・インテグレータの入射面と共役関係にあり、各発光素子の像が、フライアイ・インテグレータの入射面に結像されることを特徴とする光照射装置が知られている（例えば、特許文献１参照）。
【先行技術文献】
【特許文献】
【０００４】
【特許文献１】特開２０１６−２００７８７号公報
【発明の概要】
【発明が解決しようとする課題】
【０００５】
照射光を平行化し、且つ照射光による照射面における照度を均一化する場合、照度を均一とする装置と照射光を平行化する装置との両方が必要となり、これによって装置が大型化してしまうという問題があった。
【０００６】
本発明は上述した問題点を解決するためになされたものであり、より省スペースで照射光を平行化し、且つ照射光による照射面における照度を均一化する光学系装置、両凸レンズを提供することを目的とする。
【課題を解決するための手段】
【０００７】
上述した課題を解決するため、本発明の一態様は、光源より照射された照射光を平行化し且つ該照射光による照射面における照度を均一化する光学系装置であって、前記照射光の照射方向に設けられた両凸レンズであって、前記照射方向における入射側に位置する第１面と、前記照射方向における出射側に位置する第２面とを有し、前記第２面が入射された照射光を平行化する曲率半径に形成され、前記第１面が第２面により出射される照射光による照射面における照度を均一化する曲率半径に形成される両凸レンズと、前記光源と前記両凸レンズとの間に配置され、前記照射光の一部を通過させるアパーチャとを備える。
【０００８】
また、本発明の一態様は、入射された照射光を平行化し且つ該照射光による照射面における照度を均一化する両凸レンズであって、前記照射方向における入射側に位置する第１面と、前記照射方向における出射側に位置する第２面とを有し、前記第２面が入射された照射光を平行化する曲率半径に形成され、前記第１面が第２面により出射される照射光による照射面における照度を均一化する曲率半径に形成されることを特徴とする。
【発明の効果】
【０００９】
本発明によれば、より省スペースで照射光を平行化し、且つ照射光による照射面における照度を均一化することができる。
【図面の簡単な説明】
【００１０】
【図１】実施の形態に係る光学系装置の構成を示す概略斜視図である。
【図２】光学系装置の構成を示す概略側面図である。
【図３】光線追跡のシミュレーション結果を示す図である。
【図４】照射面のＸ軸座標に対するインコヒーレント放射照度を示すグラフである。
【図５】第１面における入射側の曲率半径とレンズ直径との関係を示すグラフである。
【図６】第１面におけるレンズ直径に対応する入射側の曲率半径を示す図である。
【発明を実施するための形態】
【００１１】
以下、本発明の実施の形態について図面を参照しつつ説明する。
【００１２】
まず、本実施の形態に係る光学系装置について説明する。図１は、本実施の形態に係る光学系装置を示す概略斜視図である。また、図２は、光学系装置の構成を示す概略側面図である。なお、図２においては、アパーチャ及び光吸収部については光軸を通り、且つ光軸に平行する平面により切断した断面が示される。
【００１３】
図１及び図２に示すように、本実施の形態に係る光学系装置１は、紫外線光を照射する紫外線ＬＥＤ光源である照射部１０、照射部１０による照射光が入射可能に配される両凸レンズ２０、照射部１０と両凸レンズ２０との間において照射部１０側に配されるアパーチャ３０、照射部１０と両凸レンズ２０との間において両凸レンズ２０側に配される光吸収部４０を備える。この光学系装置１によれば、照射部１０による照射光によって、両凸レンズ２０の光軸方向に直交する照射面が形成される。
【００１４】
アパーチャ３０は、両凸レンズ２０の光軸方向と直交する平面を有する板状の部材であり、光軸方向に貫通する孔部３１が形成されている。この孔部３１は円状に形成されこの円の中心が両凸レンズ２０の光軸に一致するようになっている。このようなアパーチャ３０によれば、照射部１０による照射光の一部が孔部３１から出射されるようになり、結果として両凸レンズ２０に対する入射光の光源のサイズが規定される。
【００１５】
光吸収部４０は、中空となった角筒状に形成されてその内壁面に光吸収面が形成された部材であり、入射側即ち照射部１０及びアパーチャ３０側、出射側即ち両凸レンズ２０側にそれぞれ開口が形成され、これらの開口が入射側開口部４１、出射側開口部４２として形成されている。入射側開口部４１に対しては、光吸収部４０内に孔部３１を通過した照射光のみが入射されるようアパーチャ３０が配置されている。また、出射側開口部４２より出射される照射光は両凸レンズ２０に入射されるようになっている。また、光吸収部４０の内壁表面、即ち光吸収面は、反射率が著しく低く、望ましくは４％以下となっており、これによって、光吸収部４０に入射した照射光のうち、内壁に照射される照射光のほとんどが内壁表面で吸収され、出射側開口部４２から出射されないようになっている。なお、光吸収部４０は、中空の角筒状に限らず、入射側及び出射側において開口した筒状の部材として、両凸レンズ２０により平行化可能な角度で入射する照射光のみが出射側開口部４２より出射可能に形成されていれば良い。なお、光吸収部４０の光軸方向長さ、即ち、入射側開口部４１から出射側開口部４２までの距離は両凸レンズ２０の焦点距離に基づく長さとなっている。
【００１６】
両凸レンズ２０は、両凸レンズであり、照射光の入射側を向く第１面２１と出射側を向く第２面２２との曲面を有し、第１面２１と第２面２２との形状は異なっている。これら第１面２１及び第２面２２は、本実施形態においては、精度を向上させるためにいずれも非球面に形成されているが、球面に形成されていても良い。第１面２１は両凸レンズ２０より出射された照射光による照射面における照度を均一化する機能を主に有し、第２面２２は両凸レンズ２０に入射される照射光を平行化する機能を主に有する。
【００１７】
第２面２２の曲率半径ｒ２は、光角度をθ、光源の大きさ（孔部３１の直径）をＸ、両凸レンズ２０の焦点距離をｆとした場合、第１面２１を平面と仮定してｆ＝ｒ２／２とし、また、Ｘ＝２となるように孔部３１を形成した上で、Ｘ×ｆ×ｔａｎθの式、即ち、ｒ２×ｔａｎθの式から、光角度θを規定するように決定される。ここで、光角度θは、照射面に直交する垂線と、両凸レンズ２０から出射された照射光とが成す角度であり、θ＝０の場合に理想の平行光となるが、実際的には、例えば１°など可能な限り０に近い値に設定される。
【００１８】
第１面２１の曲率半径ｒ１は、上述のように決定された曲率半径ｒ２に形成された第２面２２からの出射光について、光軸に直交する平面上における照度部分布が均一となるように決定される。つまり、第１面２１の曲率半径ｒ１は、第２面の曲率半径ｒ２に基づくものとなっている。
【００１９】
ここで、第１面における曲率半径とレンズ直径との関係について説明する。図５は、第１面における入射側の曲率半径とレンズ直径との関係を示すグラフである。図６は、第１面におけるレンズ直径に対応する入射側の曲率半径を示す図である。
【００２０】
図５に示すように、両凸レンズ２０より出射された照射光による照射面における照度を均一化する第１面２１においては、その入射側の曲率半径ｒ１とレンズ直径ｄとの間にはｒ１＝５．６４×ｄという式が成り立ち、これを具体的な値とすると図６に示すようになる。なお、実際的には、あるレンズ直径ｄを有する第１面２１において、上式における一次係数５．６４が±１５％の範囲内に収まるような曲率半径ｒ１とすると良い。
【００２１】
次に、光学系装置の効果について説明する。図３は、光線追跡のシミュレーション結果を示す図である。また、図４は、照射面のＸ軸座標に対するインコヒーレント放射照度を示すグラフである。なお、図４におけるＸ座標値は平面としての照射面における一方の軸の値である。
【００２２】
図３に示すように、光学系装置１における照射光についての光線追跡のシミュレーション結果によれば、照射部により照射された照射光において、光吸収部４０の内壁へ向かわない照射光のみが両凸レンズ２０へ入射して平行化されることがわかる。
【００２３】
また、図４に示すように、光学系装置１によれば、両凸レンズ２０における第１面２１によって、照射面における照度が均一化されることがわかる。
【００２４】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００２５】
１  光学系装置
１０  照射部
２０  両凸レンズ
３０  アパーチャ
４０  光吸収部
【図１】
2018189958.tif 000003
【図２】
2018189958.tif 000004
【図３】
2018189958.tif 000005
【図４】
2018189958.tif 000006
【図５】
2018189958.tif 000007
【図６】
2018189958.tif 000008